(57)【要約】【課題】      容易に釣り竿が支持でき、釣り竿を支持した状態で容易に持ち運びができるプライヤ−を提供することである。【解決手段】  一対の杆１、２が交差して重ねられて回動自在に軸ねじ３、４で枢着されて軸ねじ３、４より後側の一対の杆１、２に夫々ハンドル部５、６が固定され、ハンドル部５、６が固定された一対の杆１、２の内側には一対の杆１、２の先端側を開口付勢するバネ部材７の両端が設けられている。  ハンドル部５、６の外側には指当て面５ｂ、６ｂが形成されて指当て面５ｂ、６ｂは浅い凹部ａ、ａに形成されると共に図では指当て面５ｂ、６ｂに滑り止め突起５ｃ、６ｃが複数本形成され、ハンドル部５、６の後側端部５ｄ、６ｄの形状は端部方向に突出する湾曲形状に形成されている。【選択図】        図３
2009083053.tif 000002
【特許請求の範囲】
【請求項１】
一対の杆が交差して回動自在に枢着されたプライヤ−において、前記一対の杆の一端側に設けたハンドル部の外側に指当て面を有しハンドル部の内側に一対の杆の先端側を開口状態となるように付勢するバネ部材を設けたことを特徴とするプライヤ−。
【請求項２】
ハンドル部の指当て面の端部の形状を端部方向に突出する湾曲形状にしたことを特徴とする請求項１記載のプライヤ−。
【請求項３】
少なくとも一方のハンドル部の指当て面の上面を凹状に形成したことを特徴とする請求項１または２記載のプライヤ−。
【発明の詳細な説明】
【技術分野】
【０００１】
本発明は、一対の杆が交差して杆の先端側でスプリットリングや釣針や重り等を挟み込むことが出来たり、釣糸等を裁断出来る歯部を有するプライヤ−に関する。
【背景技術】
【０００２】
従来特許文献１のように、一対の長いハンドル部を互いに枢着して枢着中心からハンドル部とは反対側に延びた先端側に、それぞれ先細りになって対向状に伸延する一対の顎部が設けられ、一方の顎部の先端に他方の顎部に向けて突出する爪を設け、他方の顎部の長さを一方の顎部の長さより長くて、２重巻きのスプリングリングの間をこじ開けるプライヤ−が提案されている。
このプライヤ−はハンドル部も顎部も共に長いので携帯する時嵩張ると共に、ハンドル部が長いのでこのハンドル部を開閉操作する時、一方のハンドル部を親指以外の４本の指で保持し、他方のハンドル部に親指を載せて操作することになって力強く握らなければならないときは握り易いが、軽く繊細な操作をする時には操作が煩わしく落とさないように握る必要がある。
【特許文献１】特開平１１−１３８４６３号公報
【発明の開示】
【発明が解決しようとする課題】
【０００３】
解決しようとする問題点は、ハンドル部も顎部も共に長いので携帯する時嵩張ると共に、ハンドル部が長いのでこのハンドル部を開閉操作する時、一方のハンドル部を親指以外の４本の指で保持し、他方のハンドル部に親指を載せて操作することになって力強く握る時にはよいが、軽く繊細な操作をする時には操作が煩わしい欠点がある。
【０００４】
本発明の目的は前記欠点に鑑み、２本の指で軽く操作出来るコンパクトなプライヤ−を提供することである。
【課題を解決するための手段】
【０００５】
本発明の請求項１は、一対の杆が交差して回動自在に枢着されたプライヤ−において、前記一対の杆の一端側に設けたハンドル部の外側に指当て面を有しハンドル部の内側に一対の杆の先端側を開口状態となるように付勢するバネ部材を設けたことを要旨とするものである。
本発明の請求項２は、ハンドル部の指当て面の端部の形状を端部方向に突出する湾曲形状にしたことを要旨とするものである。
本発明の請求項３は、少なくとも一方のハンドル部の指当て面の上面を凹状に形成したことを要旨とするものである。
【発明の効果】
【０００６】
本発明により、２本の指の指先をハンドル部に当ててつまむように操作出来るので細かい作業でも力が入れやすくなりぶれないで正確に作業し易く、コンパクトで持ち運びが容易なプライヤ−ができる。
【発明を実施するための最良の形態】
【０００７】
一対の杆１、２が交差して交差部１ａ、２ａは重ねられて回動自在に軸ねじ３、４で枢着されて軸ねじ３、４より後側の一対の杆１、２に夫々ハンドル部５、６が固定されている。
ハンドル部５、６が固定された一対の杆１、２の内側には一対の杆１、２の先端側を開口付勢するバネ部材７の両端が設けられている。
ハンドル部５、６の外側には指当て面５ｂ、６ｂが形成されて指当て面５ｂ、６ｂは浅い凹部ａ、ａに形成されると共に図では指当て面５ｂ、６ｂに滑り止め突起５ｃ、６ｃが複数本形成されている。
ハンドル部５、６の後側端部５ｄ、６ｄの形状は端部方向に突出する湾曲形状に形成されている。
【実施例１】
【０００８】
以下、図示の実施例によって本発明を説明すると、図１から図４は第１実施例で、図１はプライヤ−の側面図、図２はプライヤ−の平面図、図３は先端側が開かれたプライヤ−の側面図、図４は２重巻きのスプリングリングの間をこじ開けるプライヤ−の側面図である。
【０００９】
プライヤ−は、一対の杆１、２が長手方向中央側で交差して交差部１ａ、２ａは重ねられて回動自在に軸ねじ３、４で枢着されている。
軸ねじ３、４より後端側の一対の杆１、２に夫々ハンドル部５、６が固定されている。
ハンドル部５、６が固定された一対の杆１、２の内側には凹部１ｂ、２ｂが形成されると共に同位置のハンドル部５、６にも凹部５ａ、６ａが形成されて凹部に一対の杆１、２の後端側を開くように押圧することで一対の杆１、２の先端側を開口状態となるように付勢するバネ部材７の両端が夫々収容されている。
一対の杆１、２の後端側はハンドル部５、６から後側に突出されて突出部１ｃ、２ｃとなり、突出部１ｃに大小の透孔１ｄ、１ｅが穿設されている。
突出部２ｃには鈎掛け部２ｄが形成されている。
小透孔１ｅには係止環８が取り付けられて係止環８は鈎掛け部２ｄに掛け止め出来るようになっている。
交差部１ａの図で上側裏面には度当りピン１０が固定されている。
交差部２ａには杆１に対して杆２の回動範囲を規制する凹部２ｅが形成されている。
【００１０】
ハンドル部５、６の外側には指当て面５ｂ、６ｂが形成されて指当て面５ｂ、６ｂは平面ａ、ａに形成されると共に図では指当て面５ｂ、６ｂに滑り止め突起５ｃ、６ｃが複数本形成されている。
ハンドル部５、６の指当て面５ｂ、６ｂの後側端部５ｄ、６ｄ側の形状は端部方向に突出する湾曲形状に形成され指当て面５ｂ、６ｂに当てがう指の指腹が合致して当たるようになっている。
一対の杆１、２の交差部１ａ、２ａより前側は先端までの途中にクロスして先端部１ｆ、２ｆは同一平面上に重ねられた状態になっている。
図１の側面図で先端部２ｆは上側になり、先端部１ｆは下側になるように握持し、一対の杆１、２の先端部１ｆと２ｆの対向面が物を挟持する挾持面となっている。
先端部２ｆの先端部１ｆに対向する面には図で下方に向けて爪２ｇと爪２ｇの後方に下方に開口した凹部２ｈが形成されている。
先端部１ｆの長さは先端部２ｆの爪２ｇの位置より短く形成されている。
爪２ｇと凹部２ｈと先端部１ｆで２重巻きのスプリングリング９の間をこじ開ける機能が構成されている。
【００１１】
図４のようにプライヤ−で２重巻きのスプリングリング９の間をこじ開ける時には、図１のように上側が爪２ｇを有する先端部２ｆとなるように握持してハンドル部５に親指を載せ、ハンドル部６に人差し指を当てて押圧して係止環８を鈎掛け部２ｄから外し、バネ部材７の付勢力で先端部１ｆと先端部２ｆの間隔を開き、爪２ｇを２重巻きのスプリングリング９の間に当て、ハンドル部５、６を押圧して先端部１ｆで２重巻きのスプリングリング９の内側を爪２ｇ方向に向けて押し上げることで容易に２重巻きのスプリングリング９の間をこじ開けることが出来る。
【００１２】
前記のようにプライヤ−が構成されると、人差し指と親指をハンドル部５、６に載せてプライヤ−を保持出来て、２本の指の指先で軽く操作出来るので対象物の２重巻きのスプリングリング９に先端部１ｆと先端部２ｆを当てることが極めて容易で、力も入れ易く、コンパクトで持ち運びが容易なプライヤ−となる。
操作時はハンドル部５に親指を先端部２ｆ側に向くように当てがって行うため細かい作業を正確に行うことができる。
【実施例２】
【００１３】
図５から図７は第２実施例で、図５はプライヤ−の側面図、図６はプライヤ−の平面図、図７は先端側が開かれてハンドル部の一部断面のプライヤ−の側面図である。
【００１４】
プライヤ−は、一対の杆１、２が交差して交差部１ａ、２ａは重ねられて回動自在に軸ねじ３、４で枢着されている。
軸ねじ３、４より後側の一対の杆１、２に夫々ハンドル部５、６が固定されている。
ハンドル部５、６が固定された一対の杆１、２の内側には凹部１ｂ、２ｂが形成されると共に同位置のハンドル部５、６にも凹部５ａ、６ａが形成されて凹部に一対の杆１、２の後端側が互いに開くように押圧し、先端側を開口するように付勢するバネ部材７の両端が夫々収容されている。
一対の杆１、２の後端側はハンドル部５、６から後側に突出されて突出部１ｃ、２ｃとなり、突出部１ｃに大小の透孔１ｄ、１ｅが穿設されている。
突出部２ｃには鈎掛け部２ｄが形成されている。
小透孔１ｅには係止環８が取り付けられて係止環８は鈎掛け部２ｄに掛け止め出来るようになっている。
【００１５】
ハンドル部５、６の外側には指当て面５ｂ、６ｂが形成されて指当て面５ｂ、６ｂは指腹に合致する湾曲状の浅い凹部ｂ、ｂが形成されている。
ハンドル部５、６の後側端部５ｄ、６ｄの形状は端部方向に突出する湾曲形状に形成されている。
一対の杆１、２の交差部１ａ、２ａより前側のそれぞれ対向面はハサミの機能を有する歯部１ｇ、２ｉと一対の杆１、２の先端がクロスしてヤットコの機能を有する挾持部１ｈ、２ｊが形成されている。
歯部１ｇ、２ｉは擦り合わされ、挾持部１ｈ、２ｊは同一平面上に重ねられた状態になっている。
図５の側面図で挾持部２ｊは上側にして親指を前端側に向けて当てがい、挾持部１ｈは下側にして人差し指を当てて使用かる。
ハンドル部５、６の外側に形成した指当て面５ｂ、６ｂは指腹形状に合致するように湾曲した楕円状の凹部ｂ、ｂが形成されているため指腹が凹部ｂ、ｂに納まって安定し、作業が確実に行える。
他の構成は前記第１実施例と略同一である。
【産業上の利用可能性】
【００１６】
前記説明では、プライヤ−の全般に利用できる。
【図面の簡単な説明】
【００１７】
【図１】第１実施例で、プライヤ−の側面図である。
【図２】同プライヤ−の平面図である。
【図３】同先端側が開かれたプライヤ−の側面図である。
【図４】同２重巻きのスプリングリングの間をこじ開けるプライヤ−の側面図である。
【図５】第２実施例で、プライヤ−の側面図である。
【図６】同プライヤ−の平面図である。
【図７】同先端側が開かれてハンドル部の一部断面のプライヤ−の側面図である。
【符号の説明】
【００１８】
１、２  杆
５、６  ハンドル部
５ｂ、６ｂ  指当て面
ａ、ａ  平面
ｂ、ｂ  凹部
７  バネ部材
【図１】
2009083053.tif 000003
【図２】
2009083053.tif 000004
【図３】
2009083053.tif 000005
【図４】
2009083053.tif 000006
【図５】
2009083053.tif 000007
【図６】
2009083053.tif 000008
【図７】
2009083053.tif 000009